(57)【特許請求の範囲】
【請求項１】
ホースを備えたテントであって、
前記ホースは、
床部分の骨組みを構成する床ホース片と、
垂直方向に立つ骨組みを構成する垂直ホース片と、
屋根部分の骨組みを構成する屋根ホース片
とを含み、
前記垂直ホース片の一端と前記床ホース片の一端、及び、前記垂直ホース片の他端と前記屋根ホース片の一端とは、縫い合わせることによって接続され、
前記垂直ホース片の径は、前記床ホース片から前記屋根ホース片に近づくにつれて徐々に小さくなる、テント。
【請求項２】
前記ホースを覆う幕を備えた、請求項１に記載のテント。
【請求項３】
前記ホースは、流体を注入するための少なくとも１つの注入口を有する、請求項１又は請求項２に記載のテント。
【請求項４】
前記ホースは、前記流体を放出するための放出口を有する、請求項３に記載のテント。
【請求項５】
前記ホースを設置するボードと、
前記ボード上に前記ホースを固定する固定具と
を備えた、請求項１から請求項４のうちの１項に記載のテント。
【請求項６】
前記垂直ホース片の一端と前記床ホース片の一端、及び、前記垂直ホース片の他端と前記屋根ホース片の一端とを縫い合わせた部分に補強具を備えた、請求項１から請求項５のうちの１項に記載のテント。
【請求項７】
前記ホースは消防用ホースである、請求項１から請求項６のうちの１項に記載のテント。
【請求項８】
前記幕はテント用帆布である、請求項２から請求項７のうちの１項に記載のテント。
【請求項９】
前記ホース片に流入されている流体の量を確認することができる流体流入量確認管を更に備える、請求項１から請求項８のうちの１項に記載のテント。
【請求項１０】
前記流体は液体であり、
前記流体流入量確認管は透明であり、目盛が付与されている、請求項９に記載のテント。
【発明の詳細な説明】
【技術分野】
【０００１】
本発明は、テントに関する。
【背景技術】
【０００２】
運動会等の野外で実施されるイベントでは、一部客席等に雨や風や日光等を防ぐために、テントが用いられている。特許文献１には、液体や気体を注入したホース片と接続金具とによって、構築物（野営ハウス、農場ハウス等）を構築する方法が開示されている。ホース片とホース片の接続部分には接続金具が使用されている。ホース片に任意の圧力で液体や気体を注入し、構築物の骨組みとして使用することにより容易に構築物を設置することができる。構築物を使用した後には、ホース片から液体や気体を放出することにより構築物の体積を小さくし、容易に構築物を撤収することができる。
【先行技術文献】
【特許文献】
【０００３】
【特許文献１】特開２００９−１９４８０号公報
【発明の概要】
【発明が解決しようとする課題】
【０００４】
しかしながら、特許文献１に開示された方法では、ホース片の接続部分に金具が使用されているため、接続金具から流体が漏れるおそれがあった。また流体の漏れを防ぐためには高度な接続金具の製造技術が必要であった。
【０００５】
本発明は上記課題を鑑みてなされたものであり、その目的はホース片とホース片の接続部分を縫い合わせることにより、流体の漏れのおそれを無くすことができるとともにイベント会場等の全体を囲むことができる大規模テントを提供することにある。
【課題を解決するための手段】
【０００６】
本発明は第１ホース片と第２ホース片とを有するホースを備えたテントであって、前記ホースは前記第１ホース片の一端と前記第２ホース片の一端とを縫い合わせることにより構成されている。
【０００７】
ある実施形態において、前記ホースは前記テントの骨組みを構成し、前記ホース片の径は前記テントの高さに応じて小さい。
【０００８】
ある実施形態において、前記ホースを覆う幕を備える。
【０００９】
ある実施形態において、前記ホースは、流体を注入するための少なくとも１つの注入口を有する。
【００１０】
ある実施形態において、前記ホースは、前記流体を放出するための放出口を有する。
【００１１】
ある実施形態において、前記少なくとも１つの注入口は複数である。
【００１２】
ある実施形態において、前記テントは、前記ホースを設置するボードと、前記ボード上に前記ホースを固定する固定具とを備える。
【００１３】
ある実施形態において、前記第１ホース片と前記第２ホース片とを縫い合わせた部分に補強具を備える。
【００１４】
ある実施形態において、前記ホースは消防用ホースである。
【００１５】
ある実施形態において、前記幕はテント用帆布である。
【発明の効果】
【００１６】
本発明のテントは、第１ホース片と第２ホース片とを有するホースを備えており、ホースは第１ホース片の一端と第２ホース片の一端とを縫い合わせることにより構成されている。従って、ホース片とホース片とが直接接続され、接続金具を用いることなくホースを一体とすることができる。その結果、流体の漏れのおそれを無くすことができる。
【図面の簡単な説明】
【００１７】
【図１】本発明の実施形態に係るテントの模式図である。
【図２】接続部分の拡大図である。
【図３】本発明の他の実施形態に係るテントの模式図である。
【図４】本発明の更に他の実施形態に係るテントの模式図である。
【図５】本発明の更に他の実施形態に係るテントの模式図である。
【図６】本発明の更に他の実施形態に係るテントの模式図である。
【図７】本発明の更に他の実施形態に係るテントの模式図である。
【図８】本発明の更に他の実施形態に係るテントの模式図である。
【発明を実施するための形態】
【００１８】
以下、図面を参照して本発明によるテントの実施形態を説明する。ただし、本発明は以下の実施形態に限定されない。
【００１９】
図１は、本発明の実施形態に係るテント１００の模式図である。テント１００は複数のホース片を含む。図１を参照して、各々のホース片に流体が満たされている状態のテント１００を説明する。テント１００は、ホース（ホース群１０１とホース群１０２とホース群１０３）を備える。ホース群１０１はテント１００の床部分の骨組みを構成する。ホース群１０２はテント１００の垂直方向に沿った方向に立つ骨組みを構成する。ホース群１０３はテント１００の屋根部分の骨組みを構成する。ホース群１０１は、ホース片１０１ａ、ホース片１０１ｂ、ホース片１０１ｃ、及びホース片１０１ｄを含む。ホース群１０２は、ホース片１０２ａ、ホース片１０２ｂ、ホース片１０２ｃ、及びホース片１０２ｄを含む。ホース群１０３は、ホース片１０３ａ、ホース片１０３ｂ、ホース片１０３ｃ、及びホース片１０３ｄを含む。本明細書においてホース片１０１ｄを第１ホース片１０１ｄと記載し、ホース片１０２ｃを第２ホース片１０２ｃと記載することがある。
【００２０】
テント１００は接続部分２００、接続部分２１０、接続部分２２０、接続部分２３０、接続部分２４０、接続部分２５０、接続部分２６０、及び接続部分２７０を含む。テント１００に含まれる接続部分２００〜接続部分２７０の詳細は後述する。
【００２１】
テント１００が備えるホース片としては、消防用ホースを用いる。ホース片として消防用ホースを用いた場合、テント１００は頑丈であり火に強い。ホース片の形状はチューブ状である。ホース片の大きさは、構築するテントの用途に応じた大きさである。
【００２２】
図２は、テント１００に含まれる接続部分２００の拡大図である。図１において点線の円で囲った部分の拡大図である。ホース片１０１ｄの一端とホース片１０２ｃの一端とが縫い合わされ、繋ぎ目２０１が形成される。ホース片１０２ｃの一端とホース片１０１ｃの一端とが縫い合わされ、繋ぎ目２０２が形成される。流体をホース片内に注入した際に、繋ぎ目２０１から流体が漏れ出ないように、ホース片１０１ｄの一端とホース片１０２ｃの一端とを糸で隙間なく縫い合わせる。また、流体をホース片内に注入した際に、繋ぎ目２０２から流体が漏れ出ないように、ホース片１０２ｃの一端とホース片１０１ｃの一端とを糸で隙間なく縫い合わせる。縫い合わせに用いる糸の素材は麻である。接続部分２１０〜接続部分２７０の各々において、接続部分２００と同様繋ぎ目が、ホース片の一端とホース片の一端とを糸で隙間なく縫い合わせることにより形成される。縫い合わせに用いる糸の素材は麻である。
【００２３】
テント１００の各々のホース片に流体が注入されていない状態を状態Ａとし、テント１００の各々のホース片に流体が満たされた状態を状態Ｂとする。状態Ａのテント１００に含まれる各々のホース片に流体を注入することにより、各々のホース片の中に流体が満たされていき、状態Ａのテント１００が状態Ｂのテント１００になる。ホース片が膨らむことにより、ホース片１０１ａ、ホース片１０１ｂ、ホース片１０１ｃ、及びホース片１０１ｄがテント１００の床部分の骨組みを構成し、またホース片１０２ａ、ホース片１０２ｂ、ホース片１０２ｃ及びホース片１０２ｄがテント１００の垂直方向に沿った方向に立つ骨組みを構成し、更にまたホース片１０３ａ、ホース片１０３ｂ、ホース片１０３ｃ、及びホース片１０３ｄがテント１００の屋根部分の骨組みを構成する。その結果、ホースがテント１００の骨組みの形状になるように、各々のホース片が立ち上がる。
【００２４】
図３は、本発明の他の実施形態に係るテント３００の模式図である。テント３００は複数のホース片を含む。図３を参照して、各々のホース片に流体が満たされている状態のテント３００を説明する。テント３００は、ホース（ホース群３０１とホース群３０２とホース群３０３）を備える。ホース群３０１はテント３００の床部分の骨組みを構成する。ホース群３０２はテント３００の垂直方向に沿った方向に立つ骨組みを構成する。ホース群３０３はテント３００の屋根部分の骨組みを構成する。ホース群３０１は、ホース片３０１ａ、ホース片３０１ｂ、ホース片３０１ｃ、及びホース片３０１ｄを含む。ホース群３０２は、ホース片３０２ａ、ホース片３０２ｂ、ホース片３０２ｃ、及びホース片３０２ｄを含む。ホース群３０３は、ホース片３０３ａ、ホース片３０３ｂ、ホース片３０３ｃ、及びホース片３０３ｄを含む。ホース片としては、消防用ホースを用いる。
【００２５】
ホース群３０２のホース片（ホース片３０２ａ、ホース片３０２ｂ、ホース片３０２ｃ、及びホース片３０２ｄ）の径はテント３００の高さに応じて小さくなっている。即ち、床部分のホース片から屋根部分のホース片に近づくにつれて徐々にホース片の径が小さくなっている。
【００２６】
ホース群３０３のホース片（ホース片３０３ａ、ホース片３０３ｂ、ホース片３０３ｃ、及びホース片３０３ｄ）の径は、ホース群３０１のホース片（ホース片３０１ａ、ホース片３０１ｂ、ホース片３０１ｃ、及びホース片３０１ｄ）の径より小さくなっている。
【００２７】
テント３００は接続部分３１０を含む。接続部分３１０においてホース片３０１ｄの一端とホース片３０２ｃの一端とが縫い合わされ、繋ぎ目が形成される。ホース片３０２ｃの一端とホース片３０１ｃの一端とが縫い合わされ、繋ぎ目が形成される。流体をホース片内に注入した際に、繋ぎ目から流体が漏れ出ないように、ホース片３０１ｄの一端とホース片３０２ｃの一端とを糸で隙間なく縫い合わせる。また、流体をホース片内に注入した際に、繋ぎ目から流体が漏れ出ないように、ホース片３０２ｃの一端とホース片３０１ｃの一端とを糸で隙間なく縫い合わせる。縫い合わせに用いる糸の素材は麻である。
【００２８】
テント３００は接続部分３２０、接続部分３３０、接続部分３４０、接続部分３５０、接続部分３６０、接続部分３７０、及び接続部分３８０を更に含む。接続部分３２０〜接続部分３８０の各々において、接続部分３１０と同様に、ホース片の一端とホース片の一端とを糸で隙間なく縫い合わせることにより繋ぎ目が形成される。縫い合わせに用いる糸の素材は麻である。
【００２９】
図３を参照して説明したように、テント３００はホース片の径がテント３００の高さに応じて小さい。従って、ホース片の径の大きさが一定であるテント１００に比べてテント３００の重心が低くなる。その結果テント３００を安定して構築することができる。
【００３０】
図４は、本発明の更に他の実施形態に係るテント４００及びテント４００ｂの模式図である。図４（ａ）は、幕４０４を備えたテント４００の模式図である。テント４００は複数のホース片を含む。図４（ａ）を参照して、各々のホース片に流体が満たされた状態のテント４００を説明する。テント４００は、ホース（ホース群１０１とホース群１０２とホース群１０３）と幕４０４とを備える。テント４００は、幕４０４を更に有する点を除いて図１を参照して説明したテント１００と同様な構成を有するため、重複部分については説明を省略する。幕４０４はホース群１０２又はホース群１０３を覆う。
【００３１】
ホース群１０２又はホース群１０３を幕４０４で覆うことにより、雨や風や日光を防ぐことができる。テント４００は運動会等の野外で実施されるイベントで使用できる。またテント４００は台風等の自然災害から農作物を防護する目的で使用することができる。またテント４００は火災現場での救命用具に使用することができる。火災現場において、消火用ポンプによりテント４００の各ホース片に液体を注入することにより、迅速にテントを構築し、火災建物から被災者がテント４００に飛び込むことにより被災者を火災建物から脱出させることができる。
【００３２】
幕４０４としてはテント用帆布を用いる。幕４０４としてテント用帆布を用いることにより、丈夫なテント４００を実現することができる。なお、ホース片を覆うことができる限りは、幕４０４はテント用帆布に限定されない。例えば、透明のビニールであり得る。透明のビニールを適用する場合には、テント４００の中からテント４００の外の様子を見ることができる。テント４００を設置する場所に障害物が無ければ、各々のホース片に流体が注入されていない状態時にホース片に幕４０４をはりつけておいてよく、障害物がある場合は各々のホース片に流体が満たされた状態にした後から杖状の棒を使用し幕４０４を張ることができる。
【００３３】
図４（ｂ）は、幕４０４が傾斜をしているテント４００ｂの模式図である。テント４００ｂは複数のホース片を含む。図４（ｂ）を参照して、各々のホース片に流体が満たされた状態のテント４００ｂを説明する。テント４００ｂは、ホース（ホース群１０１とホース群１０２とホース群１０３とホース群４０５）と幕４０４とを備える。テント４００ｂは、ホース群４０５と幕４０４とを更に有する点を除いて図１を参照して説明したテント１００と同様な構成を有するため、重複部分については説明を省略する。幕４０４はホース群１０３又はホース群４０５を覆う。
【００３４】
ホース群４０５は、ホース片４０５ａ、ホース片４０５ｂ、及びホース片４０５ｃを含む。ホース群４０５はホース群１０３と共にテント４００ｂの屋根部分の骨組みを構成する。テント４００ｂは接続部分４１０を含む。接続部分４１０においてホース片４０５ａの一端とホース片１０３ａの長手方向の中心付近とが縫い合わされ、繋ぎ目が形成される。流体をホース片内に注入した際に、繋ぎ目から流体が漏れ出ないように、ホース片４０５ａの一端とホース片１０３ａの長手方向の中心付近とを糸で隙間なく縫い合わせる。縫い合わせに用いる糸の素材は麻である。
【００３５】
テント４００ｂは接続部分４２０、接続部分４３０、及び接続部分４４０を更に含む。接続部分４２０〜接続部分４４０の各々において、接続部分４１０と同様繋ぎ目が、ホース片の一端とホース片の長手方向の中心付近とを糸で隙間なく縫い合わせることにより形成される。縫い合わせに用いる糸の素材は麻である。
【００３６】
またテント４００ｂは接続部分４５０を更に含む。接続部分４５０においてホース片４０５ａの一端とホース片４０５ｂの長手方向の中心付近とが縫い合わされ、繋ぎ目が形成される。ホース片４０５ｃの一端とホース片４０５ｂの長手方向の中心付近とが縫い合わされ、繋ぎ目が形成される。流体をホース片内に注入した際に、繋ぎ目から流体が漏れ出ないように、ホース片４０５ａの一端とホース片４０５ｂの長手方向の中心付近とを糸で隙間なく縫い合わせる。また、流体をホース片内に注入した際に、繋ぎ目から流体が漏れ出ないように、ホース片４０５ｃの一端とホース片４０５ｂの長手方向の中心付近とを糸で隙間なく縫い合わせる。縫い合わせに用いる糸の素材は麻である。
【００３７】
ホース片４０５ａ、ホース片４０５ｂ、及びホース片４０５ｃは、流体が満たされた状態でアーチ状になる。したがって、幕４０４はテント４００ｂの外周に向かって低くなるように傾斜している。幕４０４がテント４００ｂの外周に向かって低くなるように傾斜しているため、雨が降った際に、雨水は傾斜に沿ってテント４０４ｂの側面から落ちていく。したがって、雨水が幕４０４の上部に溜まることがない。その結果、雨水の重さでテント４００ｂの幕４０４がはがれたり、テント４００ｂの骨組みが壊れたりすることを防ぐことができる。
【００３８】
図５は、本発明の更に他の実施形態に係るテント５００の模式図である。テント５００は複数のホース片を含む。図５を参照して、各々のホース片に流体が満たされた状態のテント５００を説明する。図５（ａ）は、注入口５０４と放出口を備えるテント５００の模式図である。テント５００は、ホース（ホース群１０１とホース群１０２とホース群１０３）を備える。テント５００は、注入口５０４と放出口５０５とを更に有する点を除いて図１を参照して説明したテント１００と同様な構成を有するため、重複部分については説明を省略する。
【００３９】
テント５００は、接続部分２１０近辺に注入口５０４を有する。またテント５００は、接続部分２７０近辺に放出口５０５を有する。放出口５０５は注入口５０４から最遠端近辺に設けられている。
【００４０】
図５（ｂ）は、注入口５０４の詳細図である。注入口５０４は蓋５０７を有する。注入口は円柱状である。放出口５０５も同様に、蓋を有し、形状は円柱状である。ホース片全てに流体を満たした後は、注入口５０４と放出口５０５の蓋を閉じる。注入口５０４からホース片へ流体を注入し、ホース片全てに流体を満たした時に放出口５０５から流体が放出することにより、注入口５０４からの流体の逆流を防ぐことができる。
【００４１】
なお、テント５００は液体流入量確認管５０６を更に設けることができる。図５（ｃ）は、液体流入量確認管５０６の拡大図である。液体流入量確認管５０６は、ホース片１０３ｂに取り付けられる。液体は低い位置に設けられたホース片からたまっていくため、液体流入量確認管５０６は高い位置にあるホース群１０３のホース片に取り付けられることが好ましい。液体流入量確認管５０６は透明である。液体流入量確認管５０６には目盛５０８が付与されている。目盛５０８の１番上まで液体が満たされた後、液体の注入を終了する。液体流入量確認管５０６により、ホース片に流入されている液体の量が確認できる。その結果、ホース片への液体の注入の終了時を判断することができる。
【００４２】
図６は、本発明の更に他の実施形態に係るテント６００の模式図である。テント６００は複数のホース片を含む。図６を参照して、各々のホース片に流体が満たされた状態のテント６００を説明する。テント６００は、ホース（ホース群１０１とホース群１０２とホース群１０３）を備える。テント６００は、第１注入口６０４と第２注入口６０５と第３注入口６０６と第４注入口６０７と放出口６０８とを更に有する点を除いて図１を参照して説明したテント１００と同様な構成を有するため、重複部分については説明を省略する。
【００４３】
テント６００は、接続部分２１０近辺に第１注入口６０４を有する。またテント６００は、接続部分２２０近辺に第２注入口６０５を有する。更にまたテント６００は、接続部分２３０近辺に第３注入口６０６を有し、接続部分２００近辺に第４注入口６０７を有する。更にまたテント６００は、接続部分２７０近辺に放出口６０８を有する。ホース片全てに流体を満たした後は、第１注入口６０４と第２注入口６０５と第３注入口６０６と第４注入口６０７と放出口６０８の蓋を閉じる。ホース片全てに流体を満たした時に放出口６０８から流体が放出することにより、第１注入口６０４と第２注入口６０５と第３注入口６０６と第４注入口６０７からの流体の逆流を防ぐことができる。さらにテント６００は複数の注入口から流体を注入することにより、1つの注入口から流体を注入する場合と比較して短時間でホースを流体で満たすことができる。
【００４４】
図７は、本発明の更に他の実施形態に係るテント７００の模式図である。テント７００は複数のホース片を含む。図７を参照して、各々のホース片に流体が満たされた状態のテント７００を説明する。テント７００は、ホース（ホース群１０１とホース群１０２とホース群１０３）とボード７０４と固定具群７０５とを備える。テント７００はボード７０４と固定具群７０５とを更に有する点を除いて、図１を参照して説明したテント１００と同様な構成を有するため、重複部分については説明を省略する。
【００４５】
テント７００のホースはボード７０４上に設置される。固定具群７０５はボード７０４にホース片を固定する。固定具群７０５は、固定具７０５ａ、固定具７０５ｂ、固定具７０５ｃ、固定具７０５ｄ、固定具７０５ｅ、固定具７０５ｆ、固定具７０５ｇ、及び固定具７０５ｈを含む。固定具７０５ａ〜固定具７０５ｈの各々は、ホース片の外周の一部をまたぐようにホース片をボード７０４に固定する。
【００４６】
固定具７０５ａと固定具７０５ｂとによりホース片１０１ａをボード７０４に固定する。また固定具７０５ｃと固定具７０５ｄとによりホース片１０１ｂをボード７０４に固定し、固定具７０５ｅと固定具７０５ｆとによりホース片１０１ｃをボード７０４に固定する。更に固定具７０５ｇと固定具７０５ｈとによりホース片１０１ｄをボード７０４に固定する。固定具群７０５によりホース片をボード７０４に固定することによりテント７００を安定して構築することができる。ボード７０４は例えば木製や金属製である。またセメントを地面に張りボード７０４として用いることもできる。
【００４７】
テント７００において、固定具群７０５は、ホース片をボード７０４に固定している。従って、テント７００を安定して構築することができる。その結果、テント７００は強風が吹いても倒れない。
【００４８】
図８は、本発明の更に他の実施形態に係るテント８００の模式図である。テント８００は複数のホース片を含む。図８を参照して、各々のホース片に流体が満たされた状態のテント８００を説明する。テント８００は、ホース（ホース群１０１とホース群１０２とホース群１０３）と補強具群８０４とを備える。テント８００は補強具群８０４を更に有する点を除いて図１を参照して説明したテント１００と同様な構成を有するため、重複部分については説明を省略する。
【００４９】
補強具群８０４は、補強具８０４ａ、補強具８０４ｂ、補強具８０４ｃ、補強具８０４ｄ、補強具８０４ｅ、補強具８０４ｆ、補強具８０４ｇ、及び補強具８０４ｈを含む。補強具８０４ａ〜補強具８０４ｈは、接続部分２００〜接続部分２７０の各々におけるホース片とホース片との繋ぎ目を覆うように取りつける。接続部分２１０に補強具８０４ａを取りつける。また接続部分２２０に補強具８０４ｂを取りつけ、接続部分２３０に補強具８０４ｃを取りつける。更に接続部分２００に補強具８０４ｄを取りつけ、接続部分２５０に補強具８０４ｅを取りつける。また更に接続部分２６０に補強具８０４ｆを取りつけ、接続部分２７０に補強具８０４ｇを取りつける。また更に接続部分２４０に補強具８０４ｈを取りつける。補強具群８０４を接続部分に取りつけることによりテント８００の強度が増す。補強具は例えば布製や金属製であるが、接続部分を補強することができる限りは、補強具の材質は限定されない。
【００５０】
図１〜図８を参照して、本発明の実施形態に係るテント１００〜テント８００を説明した。本発明のテントは、第１ホース片と第２ホース片とを有するホースを備えており、ホースは第１ホース片の一端と第２ホース片の一端とを縫い合わせることにより構成されている。従って、ホース片とホース片とが直接接続され、接続金具を用いることなくホースが一体となる。その結果、流体の漏れのおそれを無くすことができる。
【００５１】
なお、本明細書において、テント１００が幕４０４を備えた実施形態、テント１００が注入口５０４を備えた実施形態、テント１００が放出口５０５を備えた実施形態、テント１００がボード７０４を備えた実施形態、テント１００が固定具群７０５を備えた実施形態、さらにテント１００が補強具群８０４を備えた実施形態を説明したが、テント１００が幕４０４、注入口５０４、放出口５０５、ボード７０４、固定具群７０５、補強具群８０４のうちの少なくとも２つを備えた実施形態も本発明の実施形態である。
【００５２】
また、本明細書において、テント３００に係る実施形態を説明したが、テント３００が幕４０４、注入口５０４、放出口５０５、ボード７０４、固定具群７０５、補強具群８０４のうちの少なくとも１つを備えた実施形態も本発明の実施形態である。
【００５３】
さらにテント１００〜テント８００のホース片の具体例として消防用ホースを用いて説明したが、液体や気体を満たすことができる限りは、ホース片の具体例は消防用ホースに限定されない。例えば、庭に水をまくなどの用途に用いられるガーデンホースであり得る。また、テント１００〜テント８００に含まれる各々のホース片には、消火用ポンプによって液体を注入するが、液体を注入し得る限りは、消火用ポンプに代替して、各種流体注入機を適用し得る。
【００５４】
また、テント１００〜テント８００のホース片の縫い合わせに用いる糸の素材は麻であるが、ホース片を縫い合わせることができる限りはホース片の縫い合わせに用いる糸の素材は麻に限定されない。例えば、絹であり得る。
【産業上の利用可能性】
【００５５】
本発明は、野外で実施されるイベントで、雨や風や日光等を防ぐためのテントに好適に用いられる。
【符号の説明】
【００５６】
１００    テント
１０１、１０２、１０３  ホース群
１０１ａ、１０１ｂ、１０１ｃ、１０１ｄ、１０２ａ、１０２ｂ、１０２ｃ、１０２ｄ、１０３ａ、１０３ｂ、１０３ｃ、１０３ｄ  ホース片
２００、２１０、２２０、２３０、２４０、２５０、２６０、２７０    接続部分
２０１、２０２    繋ぎ目
３００    テント
３０１、３０２、３０３  ホース群
３０１ａ、３０１ｂ、３０１ｃ、３０１ｄ、３０２ａ、３０２ｂ、３０２ｃ、３０２ｄ、３０３ａ、３０３ｂ、３０３ｃ、３０３ｄ  ホース片
３１０、３２０、３３０、３４０、３５０、３６０、３７０、３８０    接続部分
４００    テント
４０４    幕
４００ｂ  テント
４０５    ホース群
４０５ａ、４０５ｂ、４０５ｃ  ホース片
４１０、４２０、４３０、４４０、４５０    接続部分
５００    テント
５０４    注入口
５０５    放出口
５０６    液体流入量確認管
５０７    蓋
５０８    目盛
６００    テント
６０４    第１注入口
６０５    第２注入口
６０６    第３注入口
６０７    第４注入口
６０８    放出口
７００    テント
７０４    ボード
７０５    固定具群
７０５ａ、７０５ｂ、７０５ｃ、７０５ｄ、７０５ｅ、７０５ｆ、７０５ｇ、７０５ｈ  固定具
８００    テント
８０４    補強具群
８０４ａ、８０４ｂ、８０４ｃ、８０４ｄ、８０４ｅ、８０４ｆ、８０４ｇ、８０４ｈ  補強具
【図１】
0005497103.tif 000002
【図２】
0005497103.tif 000003
【図３】
0005497103.tif 000004
【図４】
0005497103.tif 000005
【図５】
0005497103.tif 000006
【図６】
0005497103.tif 000007
【図７】
0005497103.tif 000008
【図８】
0005497103.tif 000009